【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
薬剤及び患者に合わせてメッシュ交換可能なネブライザに対して
コンピュータにより最適なメッシュを選択するネブライザ用メッシュ選択方法であって、
コンピュータが、薬剤の属性と対応づけられた識別記号を取得するステップと、
患者の呼吸能力と対応づけられた区分を取得するステップと、
薬剤の属性と患者の呼吸能力との組み合わせに対して所定のメッシュが対応させられているメッシュ選択テーブルに基づいて、前記取得された薬剤の属性と患者の呼吸能力に対応する最適なメッシュを選択するステップと、
前記選択されたメッシュを出力するステップと、
を有するネブライザ用メッシュ選択方法。
【請求項２】
前記薬剤の属性と対応づけられた識別記号を取得するステップは、
薬剤の名称を取得するステップと、
薬剤の名称と薬剤の属性を関連付けたテーブルに基づいて、前記取得された薬剤の名称を薬剤の属性に変換するステップと、
を含むことを特徴とする請求項１に記載のネブライザ用メッシュ選択方法。
【請求項３】
前記薬剤の名称と前記薬剤の属性とは１対１で対応することを特徴とする請求項２に記載のネブライザ用メッシュ選択方法。
【請求項４】
前記薬剤の属性と対応づけられた識別記号を取得するステップは、
薬剤の表面張力、粘度、及び適用部位を取得するステップと、
前記取得された薬剤の表面張力、粘度、及び適用部位に基づいて、薬剤の属性を決定するステップと、
を含むことを特徴とする請求項１に記載のネブライザ用メッシュ選択方法。
【請求項５】
前記薬剤の属性を決定するステップは、
前記取得された薬剤の適用部位が、決定される薬剤の属性にかかる薬剤の適用部位と同じであり、かつ、前記取得された薬剤の表面張力及び粘度が、決定される薬剤の属性にかかる薬剤の表面張力の基準値及び粘度の基準値のいずれからも所定範囲内にあるように薬剤の属性を決定する
ことを特徴とする請求項４に記載のネブライザ用メッシュ選択方法。
【請求項６】
前記所定範囲は、±１０％であることを特徴とする請求項５に記載のネブライザ用メッシュ選択方法。
【請求項７】
前記患者の呼吸能力と対応づけられた区分を取得するステップは、
患者の年齢を取得するステップと、
患者の年齢と患者の呼吸能力を関連付けたテーブルに基づき、前記取得された患者の年齢を患者の呼吸能力に変換するステップと、
を含むことを特徴とする請求項１〜６のいずれか一項に記載のネブライザ用メッシュ選択方法。
【請求項８】
前記患者の呼吸能力と対応づけられた区分を取得するステップは、
患者の年齢及び患者の性別を取得するステップと、
患者の年齢及び患者の性別が患者の呼吸能力に関連づけられたテーブルに基づき、前記取得された患者の年齢及び患者の性別を患者の呼吸能力に変換するステップと、
を含むことを特徴とする請求項１〜６のいずれか一項に記載のネブライザ用メッシュ選択方法。
【請求項９】
前記患者の呼吸能力と対応づけられた区分を取得するステップは、
患者のピークフロー及び／又は肺活量を取得するステップと、
患者のピークフロー及び／又は肺活量が患者の呼吸能力に関連づけられたテーブルに基づき、前記取得された患者のピークフロー及び／又は肺活量を患者の呼吸能力に変換するステップと、
を含むことを特徴とする請求項１〜６のいずれか一項に記載のネブライザ用メッシュ選択方法。
【請求項１０】
薬剤及び患者に合わせてメッシュ交換可能なネブライザに対して
コンピュータにより最適なメッシュを選択するネブライザ用メッシュ選択方法であって、
コンピュータが、薬剤の名称を取得するステップと、
患者の呼吸能力と対応づけられた区分を取得するステップと、
薬剤の名称と患者の呼吸能力との組み合わせに対して所定のメッシュが対応させられているメッシュ選択テーブルに基づいて、前記取得された薬剤の名称と患者の呼吸能力に対応する最適なメッシュを選択するステップと、
前記選択されたメッシュを出力するステップと、
を有するネブライザ用メッシュ選択方法。
【請求項１１】
前記所定のメッシュは、少なくとも孔径と孔数とが異なる複数のメッシュの中から前記患者の呼吸能力に合った噴霧量になるメッシュであることを特徴とする請求項１〜１０のいずれか１項にネブライザ用メッシュ選択方法。
【請求項１２】
薬剤の属性と患者の呼吸能力との組み合わせに対して所定のメッシュが対応させられているメッシュ選択テーブルを記憶する記憶装置と、
薬剤の属性と対応づけられた識別記号と、患者の呼吸能力と対応づけられた区分と、を取得するとともに、前記メッシュ選択テーブルに基づき、前記取得された薬剤の属性と患者の呼吸能力から対応メッシュを選択する選択装置と、
前記対応メッシュを出力する出力装置と、
を有するメッシュ交換式ネブライザ用メッシュ選択システム。
【請求項１３】
前記選択装置は、
薬剤の名称を取得し、薬剤の名称と薬剤の属性を関連付けたテーブルに基づいて、前記取得された薬剤の名称を薬剤の属性に変換する
ことを特徴とする請求項１２に記載のメッシュ交換式ネブライザ用メッシュ選択システム。
【請求項１４】
前記薬剤の名称と前記薬剤の属性とは１対１で対応することを特徴とする請求項１３に記載のメッシュ交換式ネブライザ用メッシュ選択システム。
【請求項１５】
前記選択装置は、
薬剤の表面張力、粘度、及び適用部位を取得し、前記取得された薬剤の表面張力、粘度、及び適用部位に基づいて、薬剤の属性を決定する
ことを特徴とする請求項１２に記載のメッシュ交換式ネブライザ用メッシュ選択システム。
【請求項１６】
前記選択装置は、
前記取得された薬剤の適用部位が、決定される薬剤の属性にかかる薬剤の適用部位と同じであり、かつ、前記取得された薬剤の表面張力及び粘度が、決定される薬剤の属性にかかる薬剤の表面張力の基準値及び粘度の基準値のいずれからも所定範囲内にあるように薬剤の属性を決定する
ことを特徴とする請求項１５に記載のメッシュ交換式ネブライザ用メッシュ選択システム。
【請求項１７】
前記所定範囲は、±１０％であることを特徴とする請求項１６に記載のメッシュ交換式ネブライザ用メッシュ選択システム。
【請求項１８】
前記選択装置は、
患者の年齢を取得し、患者の年齢と患者の呼吸能力を関連付けたテーブルに基づき、前記取得された患者の年齢を患者の呼吸能力に変換する
ことを特徴とする請求項１２〜１７のいずれか一項に記載のメッシュ交換式ネブライザ用メッシュ選択システム。
【請求項１９】
前記選択装置は、
患者の年齢及び患者の性別を取得し、患者の年齢及び患者の性別が患者の呼吸能力に関連づけられたテーブルに基づき、前記取得された患者の年齢及び患者の性別を患者の呼吸能力に変換する
ことを特徴とする請求項１２〜１７のいずれか一項に記載のメッシュ交換式ネブライザ用メッシュ選択システム。
【請求項２０】
前記選択装置は、
患者のピークフロー及び／又は肺活量を取得し、患者のピークフロー及び／又は肺活量が患者の呼吸能力に関連づけられたテーブルに基づき、前記取得された患者のピークフロー及び／又は肺活量を患者の呼吸能力に変換する、
ことを特徴とする請求項１２〜１７のいずれか一項に記載のメッシュ交換式ネブライザ用メッシュ選択システム。
【請求項２１】
前記所定のメッシュは、少なくとも孔径と孔数とが異なる複数のメッシュの中から前記患者の呼吸能力に合った噴霧量になるメッシュであることを特徴とする請求項１２〜２０のいずれか１項にメッシュ交換式ネブライザ用メッシュ選択システム。
【請求項２２】
請求項１〜１１のいずれか１項に記載のネブライザ用メッシュ選択方法をコンピュータに実行させるためのプログラム。
【手続補正２】
【補正対象書類名】明細書
【補正対象項目名】００１８
【補正方法】変更
【補正の内容】
【００１８】
【図１】本発明の一実施形態にかかるネブライザ用メッシュ選択システムの全体構成図である。
【図２】本発明の一実施形態にかかるネブライザ用メッシュ選択処理を示すフローチャートである。
【図３】本発明の一実施形態にかかる薬剤の属性を決定する処理を示すフローチャートである。
【図４】本発明の一実施形態にかかるメッシュ選択の具体的な処理フローを説明する図である。
【図５】本発明の一実施形態にかかるネブライザ用メッシュ選択テーブルを示す図である。
【図６】本発明の一実施形態にかかるネブライザ用メッシュの孔形状を示す図である。
【手続補正３】
【補正対象書類名】明細書
【補正対象項目名】００２２
【補正方法】変更
【補正の内容】
【００２２】
本実施形態にかかるネブライザ用メッシュは、汎用性や生産性を考慮し、孔径・孔数・孔形状を変えた１０〜１５種が予め用意されている。それぞれのメッシュには識別番号が割り当てられており、かかる出力装置３０は、選択されたメッシュの識別番号を出力する。薬剤師等は、出力されたメッシュの識別番号をもとに、薬剤及び患者に適したメッシュを患者に提供する。
【手続補正４】
【補正対象書類名】明細書
【補正対象項目名】００４６
【補正方法】変更
【補正の内容】
【００４６】
なお、本実施形態にかかるメッシュ選択システム１が取り扱う薬剤の種類が少ない場合などにおいては、薬剤の属性が薬剤の名称と１対１で対応していてもよい。この場合、選択装置１０は薬剤の名称を薬剤の属性に変換することなく、薬剤の名称と患者の呼吸能力の組み合わせに対して所定のメッシュが対応させられているメッシュ選択テーブルに基づき、最適なメッシュを選択するよう構成してもよい。